(57)【要約】【課題】地震等の災害時における衝撃により生じる天井の破損や間仕切パネルの転倒および破損を防止できる制振間仕切パネル装置を提供する。【解決手段】互いに上枠部４により連結された支柱２，２’間にパネル部材５が配設されてなる間仕切パネルユニットを有する間仕切パネル装置において、上枠部４は、天井面Ｔに接触する接触面Ｍと、該接触面Ｍと天井面Ｔとの接触状態を維持する押圧力を発生させる制振機構部６と、を備え、連接して配置される複数の間仕切パネルユニットにおける前記隣り合う上枠部４，４同士が連結部材５０により互いに連結される。【選択図】図５
2013217072.tif 000002
【特許請求の範囲】
【請求項１】
互いに上枠部により連結された支柱間にパネル部材が配設されてなる間仕切パネルユニットを有する間仕切パネル装置において、
前記上枠部は、天井面に接触する接触面と、該接触面と天井面との接触状態を維持する押圧力を発生させる制振機構部と、を備え、連接して配置される複数の前記間仕切パネルユニットにおける前記隣り合う上枠部同士が連結部材により互いに連結されることを特徴とする制振間仕切パネル装置。
【請求項２】
前記支柱上端には左右に連結片が延設され、前記左右の連結片の上部に左右の隣り合う前記上枠部がそれぞれ固定されるとともに、前記隣り合う上枠部同士が連結部材により互いに連結されることを特徴とする請求項１に記載の制振間仕切パネル装置。
【請求項３】
前記連結部は、着脱自在に取付け可能な笠木パネルにより被覆されていることを特徴とする請求項１または２に記載の制振間仕切パネル装置。
【発明の詳細な説明】
【技術分野】
【０００１】
本発明は、左右方向に立設した支柱間にパネル部材を取り付けてなる間仕切パネル装置に係り、特に地震による天井の破損、間仕切パネルの転倒や破損を防止できる制振間仕切パネル装置に関する。
【背景技術】
【０００２】
従来、室内を複数の部屋に仕切る場合、複数本にわたり所定距離離間して立設された支柱の前後にパネル部材を取り付けて構成される複数枚の間仕切パネルを連設して組み立てる間仕切パネル装置が用いられている。一般な間仕切パネル装置として、たとえば特許文献１に記載されているように、間仕切パネルにおける下辺部が床面に、上辺部が天井面にボルトを用いて固定されたものがある。
【先行技術文献】
【特許文献】
【０００３】
【特許文献１】特開２００７−０１６５２６号公報
【発明の概要】
【発明が解決しようとする課題】
【０００４】
しかしながら前記特許文献１に記載されている間仕切パネル装置においては、上下共に強固に固定されるため、地震により生じる衝撃等に対して間仕切パネル装置に伝播される衝撃を逃がすことができず、天井の破損や間仕切パネルの転倒および破損を引き起こす恐れがあるという問題がある。
【０００５】
本発明は、このような問題点に着目してなされたもので、地震等の災害時における衝撃により生じる天井の破損や間仕切パネルの転倒および破損を防止できる制振間仕切パネル装置を提供することを目的としている。
【課題を解決するための手段】
【０００６】
上記課題を解決するために、本発明の制振間仕切パネル装置は、
互いに上枠部により連結された支柱間にパネル部材が配設されてなる間仕切パネルユニットを有する間仕切パネル装置において、
前記上枠部は、天井面に接触する接触面と、該接触面と天井面との接触状態を維持する押圧力を発生させる制振機構部と、を備え、連接して配置される複数の前記間仕切パネルユニットにおける前記隣り合う上枠部同士が連結部材により互いに連結されることを特徴としている。
この特徴によれば、制振機構部により地震等の災害時における衝撃等による振動エネルギーを吸収することができるとともに、床面と天井面との高さ方向の長さが変形などにより変わったときにも、その長さに制振機構部が追従して天井面を押圧して、衝撃により生じる天井の破損や制振間仕切パネル装置の転倒および破損を防止することができる。さらに制振間仕切パネル装置は、制振機構部により天井接触面を天井面に対し押圧して設置される態様であることから、地震等による衝撃により隣接する間仕切パネルユニット同士が互いに違う方向に傾く場合があり、上記のように連結部材によって隣接する上枠部同士が連結固定されていることにより、間仕切パネルユニット同士の連結部分に生じるねじれ等の負荷を軽減できることになる。
【０００７】
本発明の制振間仕切パネル装置は、
前記支柱上端には左右に連結片が延設され、前記左右の連結片の上部に左右の隣り合う前記上枠部がそれぞれ固定されるとともに、前記隣り合う上枠部同士が連結部材により互いに連結されることを特徴としている。
この特徴によれば、一本の支柱に対して連結片を介して固定されている左右の隣り合う上枠部が、さらに連結部材により互いに連結されるため、支柱と上枠部との接合強度が向上し、結果的に各間仕切パネルユニットに加わる力を他の間仕切パネルユニットに分散できることになる。
【０００８】
本発明の制振間仕切パネル装置は、
前記連結部は、着脱自在に取付け可能な笠木パネルにより被覆されていることを特徴としている。
この特徴によれば、連結部材は笠木パネルに被覆されて外部に露見しないため、間仕切パネル装置の美観を損なうことがない。
【図面の簡単な説明】
【０００９】
【図１】制振間仕切パネルの正面視横断面図である。
【図２】天井接触部の一部拡大横断正面図である。
【図３】制振機構における各部材のＡ−Ａ断面図である。
【図４】パネル部材の取り付けを示す側断面図である。
【図５】連結部材の取付けを示す一部拡大側断面図である。
【図６】連結部材の取付けを示す一部拡大斜視図である。
【図７】規制部材および笠木パネルの取付けを示す一部拡大側断面図である。
【発明を実施するための形態】
【００１０】
本発明に係る制振間仕切パネル装置を実施するための形態を実施例に基づいて以下に説明する。
【実施例】
【００１１】
実施例に係る制振間仕切パネル装置につき、図１から図７を参照して説明する。図１は、本発明の制振間仕切パネル装置１の全体斜視図である。なお本発明における制振間仕切パネル装置１における支柱は直線上に複数本、立設して構成されるが、本実施例においては無作為に選んだ隣接する２本の支柱２，２’を用いて説明し、以下、図１の紙面手前側を制振間仕切パネル装置１の正面側として説明する。
【００１２】
図１に示すように、制振間仕切パネル装置１は、左右に立設した中空の断面視略矩形状の支柱２，２’の上部を上枠部４により連結されるとともに、支柱２，２’の下部に接続されるL字板７、固着ネジ３５およびアンカー・プラグ８により床面Ｙに固定され、さらに支柱２，２’間にパネル部材５を取り付けてなる制振間仕切パネルユニット１００を連設して構成されている。また、制振間仕切パネル装置１は、後述する上枠部４における制振ユニット６（制振機構）により天井に対し押し付けられて立設されるようになっている。
【００１３】
図１および図２に示すように、上枠部４は、支柱２，２’とを連結する支柱連結金具９，９’と、天井面Ｔに接触する接触面Ｍと、この接触面Ｍと天井面Ｔとの接触状態を維持する押圧力を発生させる制振機構部である制振ユニット６と、橋架部材３、後述する連結部材５０、規制部材５１、笠木パネル５２（図１０参照）とにより主に構成されている。
【００１４】
図３に示すように、橋架部材３は、その長手方向の長さがパネル部材５の幅の長さとほぼ同じであり、断面視において上向きに開口するコ字状に形成された上板３１および下板３２の２枚のコ字状の金属板を備え、これら上板３１および下板３２が、お互いの底板同士を所定距離離間して側面を熱溶着されて形成されている。上板３１の底板には、ここでは図示しない穿孔部と連通して熱溶着された昇降ナット部１２が設けられているとともに、上板３１の上面には制振ユニット６が遊嵌載置できるようになっている。なお、下板３２は両上端部に、上方を向くＬ字状に屈曲した掛吊部３２ａ，３２ａをそれぞれ有している。
【００１５】
また、図２および図３に示されるように下板３２の底板には、熱溶着されたナット部１４，１４…が、長手方向に直線上かつ幅方向複数列にわたり設けられており、これらのナット部１４と固定ボルト１５とが前述の支柱連結金具９，９’の連結片１０，１０’に設けられる挿通孔２８，２８を介して螺合することにより支柱連結金具９，９’と橋架部材３とが固定されるようになっている。尚、左右の連結片１０，１０’の上部には、左右の隣り合う橋架部材３，３がそれぞれ固定されるようになっている。
【００１６】
また、昇降ボルト１３は、昇降ナット部１２に螺合され、昇降ボルトの先端部１３ａにより制振ユニット６底面を支持するようになっている（図１参照）。なお、連結片１０，１０’および下板３２の底板に設けられた開口から昇降ボルト１３を螺進または螺退することによって制振ユニット６の底面位置を上下に移動可能としている。
【００１７】
図２および図３に示すように、制振ユニット６は、制振コイルばね２０と、断面視下向きに開口し、上部に弾性体４０を有する第１チャネル材２２と、第１チャネル材２２と係合する断面視上向きに開口するコ字状の第２チャネル材２３とにより主に構成されている。なお、制振ユニット６の第１チャネル材２２と第２チャネル材２３とは、パネル部材５の上辺に則して延び、パネル部材５の上辺の長さとほぼ等しい長さを有している。
【００１８】
制振ユニット６は、制振間仕切パネル装置１の設置時や搬入時には、調整ネジ２４のネジ筒２７との螺合を深くしておくことにより、調整ネジ２４の頭部が、第２チャネル材２３の底板に当接した状態すなわち非作動状態となっている。
【００１９】
また制振ユニット６は、調整ネジ２４のネジ筒２７との螺合の深さが短くなるように調整ネジ２４をゆるめる方向に調整することで、調整ネジ２４の頭部が第２チャネル材２３の底板から離間し、制振ユニット６の押圧力を発生させる状態の作動状態に切り替えることができる。なお、連結片１０，１０’、上板３１、および下板３２の底板に設けられた開口から調整ネジ２４を螺進または螺退可能になっており、押圧力の変更が可能になっている。
【００２０】
上記構成により図１に示されるように、上枠部４における制振ユニット６は、バネ２０による付勢手段を備え、天井面Ｔに接触面Ｍが接触し接触状態を維持する押圧力を発生させることで、地震などにより制振間仕切パネル装置１が振動したときに、制振ユニット６の付勢力でその振動エネルギーを吸収するとともに、床面Ｙと天井面Ｔとの高さ方向の長さが変形などにより変わったときにも、追従して天井面Ｔを押圧して、衝撃により生じる天井の破損や制振間仕切パネル装置１の転倒および破損を防止することができるように構成されている。
【００２１】
さらに、制振間仕切パネル装置１は、図５に示すように、隣接する橋架部材３，３に跨る様に連結部材５０，５０をそれぞれ取付けることで、橋架部材３，３同士の連結を補強するようになっている。図１および図３に示すように、連設される間仕切パネルユニット１００，１００”同士は、支柱連結金具９’により連結されるようになっているが、制振間仕切パネル装置１は、制振ユニット６により天井接触面Ｍを天井面に対し押圧して設置される態様であることから、地震等による衝撃により隣接する間仕切パネルユニット１００，１００”同士が互いに違う方向に傾く場合があり、上記のように連結部材５０，５０が隣接する橋架部材３、３に跨る様に固定配置され補強されていることにより、間仕切パネルユニット１００，１００”同士の連結部分（橋架部材３におけるナット部１４，１４…、支柱連結金具９’の連結片１０’，１０’、またはそこに設けられる挿通孔２８，２８及びボルト１５，１５…）に生じるねじれ等の負荷を軽減できることになる。また、一本の支柱２に対して連結片１０’，１０’を介して固定されている左右の隣り合う橋架部材３，３が、さらに連結部材５０，５０により互いに連結されるため、支柱２と橋架部材３，３との接合強度が向上し、結果的に各間仕切パネルユニットに加わる力を他の間仕切パネルユニットに分散できることになる。
【００２２】
詳しくは、図４及び図５に示すように、連結部材５０，５０は、強度を高めるために板状の金属を屈曲させて形成され、長手方向に複数個穿設されるネジ孔５０ａ，５０ａ…およびネジ６０，６０…により、橋架部材３、３に跨る様にそれぞれ固着される。なお、連結部材５０，５０は、断面コ字状に屈曲して形成することにより強度を高めている。
【００２３】
そして図１に示すように、互いに上枠部４により連結された支柱２，２’間にパネル部材５が配設される。詳しくは図６に示すように、支柱２，２’の左右には係合鉤部材３０，３０…が縦方向に複数個設けられており、係合鉤部材３０，３０…には正面および背面に上方に向け突出する鉤部３０１，３０１…がそれぞれ設けられている。また、パネル部材５の背面左右縁部には縦方向に複数の係合凹部２９，２９…が設けられており、前記係合鉤部材３０，３０…の鉤部３０１，３０１…に対しパネル部材５の係合凹部２９，２９…がそれぞれ上方より係合することでパネル部材５が支柱２，２’に係合支持される。
【００２４】
図７に示すように、パネル部材５の取付け後、橋架部材３における前記掛吊部３２ａ，３２ａに対し、規制部材５１，５１がそれぞれ取付けられる。この規制部材５１は、金属などにより屈曲した板状に形成されており、下部に断面視において外向きのＬ字状に形成される移動規制部５１ａを有し、この移動規制部５１ａの上方はさらに外向きに折り曲げられ、上辺の係止部５１ｃにまで延設された内向きコ字状のプレート部５１ｂが設けられている。
【００２５】
規制部材５１は、係止部５１ｃが掛吊部３２ａに係止され、コ字状のプレート部５１ｂにより前述した連結部材５０を被覆できるようになっている。移動規制部５１ａは、移動規制部の下面５１１をパネル部材５の上縁５ａと対向させた状態で固着ネジ６１により橋架部材３、３の外面に固着される。
【００２６】
さらに図７に示される笠木パネル５２は、樹脂などにより板状に形成されており、上部に設けられた係合部５２ｃが前記規制部材の係合部５１ｅに対して上方から係合するとともに、凸部５２１が規制部材５１に形成された凸部５１ｄと係合して、規制部材５１および規制部材５１の固着手段である固着ネジ６１の部分を被覆する。
【００２７】
以上、本発明の実施例を図面により説明してきたが、具体的な構成はこれら実施例に限られるものではなく、本発明の要旨を逸脱しない範囲における変更や追加があっても本発明に含まれる。
【符号の説明】
【００２８】
１                制振間仕切パネル装置
２，２’          支柱
３                橋架部材
４，４”          上枠部
５                パネル部材
５ａ              パネル部材上縁
６                制振ユニット
２２              第１チャネル材
２３              第２チャネル材
２９              係合凹部
３０              係合鉤部材
３２ａ            掛吊部
５０              連結部材
５１              規制部材
５１ａ            移動規制部
５１ｂ            プレート部
５１ｃ            係止部
５１ｄ            凸部
５１ｅ            係合部
５１４            内壁
５２              笠木パネル
５２ｂ            係止部
５２ｃ            係合部
１００，１００”  間仕切パネルユニット
３０１            鉤部
５００            連結部材
５００ａ          掛吊部
５００ｂ          屈曲片
５００ｃ          凸部
５１０            規制部材
５１０ａ          係合部
５１０ｂ          移動規制部
５１０ｃ          係止部
５１０ｄ          凸部
５１１            移動規制部の下面
５２１            凸部
Ｔ                天井面
Ｍ                接触面
【図１】
2013217072.tif 000003
【図２】
2013217072.tif 000004
【図３】
2013217072.tif 000005
【図４】
2013217072.tif 000006
【図５】
2013217072.tif 000007
【図６】
2013217072.tif 000008
【図７】
2013217072.tif 000009